【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
マルチファクタ認証サービスを利用する第三者のウェブサイトを登録するための方法であって、
前記マルチファクタ認証サービスによって、前記第三者のウェブサイトの有効な電子識別証明書を受信するステップと、
前記マルチファクタ認証サービスによって、前記第三者のウェブサイトに対する前記マルチファクタ認証サービスの利用規約に対する同意を受信するステップと、
前記第三者のウェブサイトが前記マルチファクタ認証サービスの利用を開始する前に前記第三者のウェブサイトと前記マルチファクタ認証サービスとの間の更なる人の介入がない場合に、前記第三者のウェブサイトが前記マルチファクタ認証サービスを利用することを可能にするステップと、
前記第三者のウェブサイトの開発者によってアクセス可能な開発者ポータルを利用するステップであって、
前記第三者のウェブサイトが前記マルチファクタ認証サービスを利用するのを可能にするアプリケーションプログラミングインタフェース（ＡＰＩ）鍵を、前記第三者のウェブサイトの開発者に提供し、
前記マルチファクタ認証サービスを利用する要求を認証するように構成された共有の秘密鍵を、前記第三者のウェブサイト開発者に提供し、
前記マルチファクタ認証サービスの利用規約を前記第三者のウェブサイトに提供する
ように構成された前記開発者ポータルを利用するステップと
を含むことを特徴とする方法。
【請求項２】
第三者のウェブサイトから電子識別証明書を受信するステップと、
前記電子識別証明書に少なくとも部分的に基づいて、開発者ポータルを前記第三者のウェブサイトに対して利用可能にするステップであって、前記開発者ポータルは、前記第三者のウェブサイトの開発者によってアクセス可能であり、
前記第三者のウェブサイトがマルチファクタ認証サービスを利用するのを可能にするアプリケーションプログラミングインタフェース（ＡＰＩ）鍵を、前記第三者のウェブサイトの開発者に提供すること、
前記マルチファクタ認証サービスを利用する要求を認証するように構成された共有の秘密鍵を、前記第三者のウェブサイト開発者に提供すること、および
前記マルチファクタ認証サービスの利用規約を前記第三者のウェブサイトに提供すること
のうちの少なくとも１つを行うように構成された前記開発者ポータルを利用可能にするステップと
を含む処理を、コンピュータの処理ユニットに実行させるコンピュータ実行可能な命令を記憶したことを特徴とするコンピュータ読取可能記憶媒体。
【請求項３】
前記処理は、ユーザのモバイルデバイスを認証することによって前記マルチファクタ認証サービスを開始するステップをさらに含むことを特徴とする請求項２に記載のコンピュータ読取可能記憶媒体。
【請求項４】
前記処理は、前記第三者のウェブサイトに対して取り消し機構を提供するステップをさらに含み、前記取り消し機構は、前記モバイルデバイスが認証されないように前記マルチファクタ認証サービスから前記認証されたモバイルデバイスの登録を解除するように構成されることを特徴とする請求項３に記載のコンピュータ読取可能記憶媒体。
【請求項５】
前記認証することは、
前記第三者のウェブサイトを介して、前記ユーザの第１のコードを表示することと、
前記ユーザに対する第２のコードを、メッセージを介して前記ユーザの前記モバイルデバイスに送信することと
のうちの少なくとも一方を含むことを特徴とする請求項３に記載のコンピュータ読取可能記憶媒体。
【請求項６】
前記第１および第２のコードの少なくとも一方は、少なくとも部分的に前記ユーザの位置に基づいていることを特徴とする請求項５に記載のコンピュータ読取可能記憶媒体。
【請求項７】
前記処理は、前記第三者のウェブサイトに対して報告機構を提供するステップをさらに含み、前記報告機構は、１つまたは複数のトランザクションとユーザのアクティビティとのうちの少なくとも一方を含むレポートを提供するように構成されることを特徴とする請求項２に記載のコンピュータ読取可能記憶媒体。
【請求項８】
前記処理は、少なくとも部分的にユーザの位置に基づいた、前記マルチファクタ認証サービスに関する前記ユーザの利用可能性を通知するステップをさらに含むことを特徴とする請求項２に記載のコンピュータ読取可能記憶媒体。
【請求項９】
前記処理は、
前記マルチファクタ認証サービスの最初の使用に先立って、ユーザにテストメッセージを送信するステップと、
前記マルチファクタ認証サービスの最初の使用に先立って、前記ユーザから前記テストメッセージに対する応答を受信するステップと
をさらに含むことを特徴とする請求項２に記載のコンピュータ読取可能記憶媒体。
【請求項１０】
マルチファクタ認証サービスの使用を可能にするためのシステムであって、
第三者のウェブサイトの電子識別証明書を前記マルチファクタ認証サービスに送信するように構成された第１のコンポーネントと、
開発者ポータルにアクセスして、前記電子識別証明書に少なくとも部分的に基づいてアプリケーションプログラミングインタフェース（ＡＰＩ）鍵を受信するように構成された第２のコンポーネントであって、前記ＡＰＩ鍵は、前記第三者のウェブサイトの開発者による使用のためのものであり、前記ＡＰＩ鍵は、前記第三者のウェブサイトがマルチファクタ認証サービスを利用することを可能にし、前記開発者ポータルは、前記第三者のウェブサイトの開発者によってアクセス可能である、前記第２のコンポーネントと
を備え、前記第１および第２のコンポーネントの少なくとも一方の少なくとも一部は、少なくとも部分的に処理ユニットを介して実装されることを特徴とするシステム。
【請求項１１】
前記第２のコンポーネントは、ユーザのモバイルデバイスを前記第三者のウェブサイトまたは前記マルチファクタ認証サービスのうちの少なくとも一方に登録することによって、前記マルチファクタ認証サービスを開始するように構成されることを特徴とする請求項１０に記載のシステム。
【請求項１２】
前記第２のコンポーネントは、前記ユーザに取り消しユーザインタフェース（ＵＩ）を提供するように構成され、前記取り消しＵＩは、前記モバイルデバイスが登録されないように、前記マルチファクタ認証サービスから前記認証されたモバイルデバイスの登録を解除するのを可能にすることを特徴とする請求項１１に記載のシステム。
【請求項１３】
前記第２のコンポーネントは、少なくとも部分的に逆インターネットプロトコル（ＩＰ）ルックアップに基づいた、前記マルチファクタ認証サービスに関するユーザの利用可能性を通知するようにさらに構成されることを特徴とする請求項１０に記載のシステム。
【請求項１４】
前記第２のコンポーネントは、前記ユーザに報告ユーザインタフェース（ＵＩ）を提供するように構成され、前記報告ＵＩは、１つまたは複数のトランザクションとユーザのアクティビティとのうちの少なくとも一方を含むレポートを提供するように構成されることを特徴とする請求項１０に記載のシステム。
【請求項１５】
前記トランザクションの少なくとも１つは、
トランザクションの日付、
トランザクションの時間、
前記マルチファクタ認証サービスを開始した第三者ウェブサイトのドメインと、
前記マルチファクタ認証サービスを開始させたユーザのインターネットプロトコル（ＩＰ）アドレスと
のうちの少なくとも１つを含むことを特徴とする請求項１４に記載のシステム。